【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
ハードディスクドライブであって、
前記ハードディスクドライブから外部データ処理装置への２方向通信回路を提供する通信インターフェースと、
第１の信号と第２の信号とを生成するモジュールと
を備え、
ロジックコアによって前記第１の信号に応じて低電力モード中において前記通信インターフェースのコンフィギュレーション情報が保持され、前記第２の信号は、前記低電力モード中に前記通信インターフェースをアクティブに維持するべく利用される
ハードディスクドライブ。
【請求項２】
前記ロジックコアは、前記低電力モード中において、前記ハードディスクドライブのデバイス識別子を定義するデータと前記ハードディスクドライブのコンフィギュレーションを定義するデータとを格納する
請求項１に記載のハードディスクドライブ。
【請求項３】
前記通信インターフェースはＵＳＢ（ユニバーサルシリアルバス）インターフェースを含み、前記ロジックコアはＵＳＢデバイス識別子とＵＳＢコンフィギュレーションとを定義するデータを格納する
請求項１または２に記載のハードディスクドライブ。
【請求項４】
前記低電力モードにおいては、前記ロジックコア、前記通信インターフェースおよび前記モジュールを除き、前記ハードディスクドライブの略全ての回路は停止される
請求項１から３のいずれかに記載のハードディスクドライブ。
【請求項５】
前記モジュールは、アクティブモード用のアクティブコンフィギュレーションと前記低電力モード用の低電力コンフィギュレーションとにコンフィギュラブルな電圧レギュレータを含む
請求項１から４のいずれかに記載のハードディスクドライブ。
【請求項６】
前記低電力モードは、リニアオープンループモードを含む
請求項５に記載のハードディスクドライブ。
【請求項７】
前記モジュールは、前記第２の信号を生成するべく利用されるバンドギャップレギュレータを含む
請求項１から６のいずれかに記載のハードディスクドライブ。
【請求項８】
前記モジュールは、前記通信インターフェースの動作専用のレギュレータを含む
請求項１から７のいずれかに記載のハードディスクドライブ。
【請求項９】
スピンドルコア回路とボイスコイルモーター回路とを有するモーターコントローラ
をさらに備え、
前記モーターコントローラは、前記低電力モードにおいて停止される
請求項１から８のいずれかに記載のハードディスクドライブ。
【請求項１０】
前記ハードディスクドライブは、前記低電力モードにおいて、スタンバイ電流が約５００マイクロアンペア未満である
請求項１から９のいずれかに記載のハードディスクドライブ。
【請求項１１】
ハードディスクドライブであって、
前記ハードディスクドライブから外部データ処理装置への２方向通信回路を提供する外部通信手段と、
第１の信号と第２の信号とを生成するモジュール手段と
を備え、
前記ハードディスクドライブの動作モードの選択を制御する制御手段によって前記第１の信号に応じて低電力モード中において前記外部通信手段のコンフィギュレーション情報が保持され、前記第２の信号は、前記低電力モード中に前記外部通信手段をアクティブに維持する
ハードディスクドライブ。
【請求項１２】
前記制御手段は、前記低電力モード中において、前記ハードディスクドライブのデバイス識別子を定義するデータと前記ハードディスクドライブのコンフィギュレーションを定義するデータとを格納する手段を含む
請求項１１に記載のハードディスクドライブ。
【請求項１３】
前記外部通信手段はＵＳＢ（ユニバーサルシリアルバス）インターフェースを含み、前記制御手段はＵＳＢデバイス識別子とＵＳＢコンフィギュレーションとを定義するデータを格納する手段を含む
請求項１１または１２に記載のハードディスクドライブ。
【請求項１４】
前記制御手段は、前記低電力モードにおいて、前記ハードディスクドライブのＵＳＢデバイス識別子を定義するデータと前記ハードディスクドライブのＵＳＢコンフィギュレーションを定義するデータとを格納する
請求項１３に記載のハードディスクドライブ。
【請求項１５】
前記低電力モードにおいては、前記制御手段、前記外部通信手段および前記モジュール手段を除き、前記ハードディスクドライブの略全ての回路が停止される
請求項１１から１４のいずれかに記載のハードディスクドライブ。
【請求項１６】
前記モジュール手段は、前記アクティブの動作モード用のアクティブコンフィギュレーションと前記低電力モード用の低電力コンフィギュレーションとにコンフィギュラブルな電圧レギュレータを含む
請求項１１から１５のいずれかに記載のハードディスクドライブ。
【請求項１７】
前記低電力モードは、リニアオープンループモードを含む
請求項１６に記載のハードディスクドライブ。
【請求項１８】
前記モジュール手段は、前記第２の信号を生成するバンドギャップレギュレータを含む
請求項１１から１７のいずれかに記載のハードディスクドライブ。
【請求項１９】
前記モジュール手段は、前記外部通信手段の動作専用のレギュレータを含む
請求項１１から１８のいずれかに記載のハードディスクドライブ。
【請求項２０】
スピンドルコア回路とボイスコイルモーター回路とを有するモーターコントローラ
をさらに備え、
前記モーターコントローラは、前記低電力モードにおいて停止される
請求項１１から１９のいずれかに記載のハードディスクドライブ。
【請求項２１】
ハードディスクドライブ用の低電力方法であって、
低電力モード中において外部との通信のためにコンフィギュレーション情報を利用可能に保持することと、
前記低電力モードにおいて、外部との通信のために利用される回路をアクティブ状態に維持することと
を含む方法。
【請求項２２】
前記低電力モードにおいて、前記ハードディスクドライブのＵＳＢデバイス識別子を定義するデータを格納することと、前記ハードディスクドライブのＵＳＢコンフィギュレーションを定義するデータを格納することと
をさらに含む、請求項２１に記載の方法。
【請求項２３】
前記低電力モードにおいて、前記ハードディスクドライブの他の動作の略全てを停止すること
をさらに含む、請求項２１または２２に記載の方法。
【請求項２４】
外部との通信のために利用される前記回路をアクティブ状態に維持することは、アクティブモードのアクティブコンフィギュレーションから前記低電力モードの低電力コンフィギュレーションへと前記回路を切り替えることを含む
請求項２１から２３のいずれかに記載の方法。
【請求項２５】
前記低電力のコンフィギュレーションはリニアモードを含む
請求項２１から２４のいずれかに記載の方法。
【請求項２６】
低電力モードが選択可能なハードディスクドライブであって、
通信インターフェースと、
前記ハードディスクドライブが前記低電力モードにある場合に、前記通信インターフェースのコンフィギュレーションデータを利用可能に保持すると共に前記通信インターフェースをアクティブ状態に維持するコアと
を備え、
前記低電力モードにおいて前記コンフィギュレーションデータは、前記ハードディスクドライブがアクティブモードにいる場合と同様に、利用可能である
ハードディスクドライブ。
【請求項２７】
前記コアは、前記ハードディスクドライブに対して前記アクティブモードから前記低電力モードに移行するよう命令するロジックを含む
請求項２６に記載のハードディスクドライブ。
【請求項２８】
第１調整信号を生成する第１レギュレータ
をさらに備え、
前記ハードディスクドライブが前記低電力モードにある場合、前記コアは前記第１調整信号に応じてアクティブ状態にとどまる
請求項２６または２７に記載のハードディスクドライブ。
【請求項２９】
前記第１レギュレータは、前記ハードディスクドライブが前記低電力モードにある場合に、リニアモードで動作する
請求項２８に記載のハードディスクドライブ。
【請求項３０】
第２調整信号を生成する第２レギュレータ
をさらに備え、
前記通信インターフェースは、前記ハードディスクドライブが前記低電力モードにある場合に、前記第２調整信号に応じて前記アクティブ状態にとどまる
請求項２８に記載のハードディスクドライブ。
【請求項３１】
低電力モードが選択可能なハードディスクドライブであって、
通信インターフェースと、
前記ハードディスクドライブが前記低電力モードにある場合に、前記通信インターフェースのコンフィギュレーションデータを利用可能に保持すると共に前記通信インターフェースをアクティブ状態に維持するコア手段と
を備え、
前記低電力モードにおいて前記コンフィギュレーションデータは、前記ハードディスクドライブがアクティブモードにいる場合と同様に、利用可能である
ハードディスクドライブ。
【請求項３２】
前記コア手段は、前記ハードディスクドライブに対して前記アクティブモードから前記低電力モードに移行するよう命令する手段を含む
請求項３１に記載のハードディスクドライブ。
【請求項３３】
第１調整信号を生成する第１調整手段
をさらに備え、
前記コア手段は、前記ハードディスクドライブが前記低電力モードにある場合に、前記第１調整信号に応じてアクティブ状態にとどまる
請求項３１または３２に記載のハードディスクドライブ。
【請求項３４】
前記第１調整手段は、前記ハードディスクドライブが前記低電力モードにある場合に、リニアモードで動作する
請求項３３に記載のハードディスクドライブ。
【請求項３５】
第２調整信号を生成する第２調整手段
をさらに備え、
前記通信インターフェースは、前記ハードディスクドライブが前記低電力モードにある場合に、前記第２調整信号に応じて前記アクティブ状態にとどまる
請求項３３に記載のハードディスクドライブ。
【請求項３６】
ハードディスクドライブ用の低電力モード移行方法であって、
前記低電力モードにおいて第１の調整信号を生成するべくレギュレータを切り替えることと、
前記第１の調整信号に応じて、前記低電力モードにおいて前記ハードディスクドライブに対する外部の通信を可能とするべく通信インターフェースのコンフィギュレーション情報を利用可能に保持することと
を含む方法。
【請求項３７】
第２の調整信号を生成することと、
前記第２の調整信号に応じて、前記低電力モードにおいて前記通信インターフェースをアクティブ状態に維持することと
をさらに含む、請求項３６に記載の方法。
【請求項３８】
ウェークアップ信号を受け取ることと、
前記ウェークアップ信号に応じて、前記第１の調整信号を生成するべく、前記レギュレータの動作モードをリニアモードからスイッチングモードへと切り替えることと
をさらに含む、請求項３７に記載の方法。
【請求項３９】
動作モードに低電力モードとアクティブモードとがあるハードディスクドライブであって、
前記アクティブモードから前記低電力モードへの移行を開始するための低電力モード移行コマンドを発行するコアと、
前記コアと通信し合う通信インターフェースと、
前記低電力モードにおいて前記通信インターフェースのコンフィギュレーション情報を保持するべく前記コアが応じる第１の信号を生成する第１のレギュレータと、
前記低電力モードにおいて前記通信インターフェースをアクティブに維持するための第２の信号を生成する第２のレギュレータと
を備えるハードディスクドライブ。
【請求項４０】
前記コアは、前記低電力モードに移行するべく前記低電力モード移行コマンドを発行した後で、前記コアおよび前記第１のレギュレータと通信し合う信号経路上でシリアルデータイネーブル信号を通信し、
前記シリアルデータイネーブル信号に応じて、前記第１のレギュレータは調整信号を生成するべく動作モードをスイッチングモードからリニアモードへと切り替える
請求項３９に記載のハードディスクドライブ。